(57)【要約】【課題】  録音した音楽番組中の楽曲に関するデータを蓄積し、所望する楽曲のみを再生することの可能な放送番組再生装置を提供する。【解決手段】  本発明に係る放送番組再生装置１は、番組データを録音すると同時に当該番組中の各楽曲に関する管理情報を記憶し、各楽曲の開始時間、終了時間が当該番組のどの位置に該当するかを認識することができ、１つの音声ファイルに含まれた１楽曲のみを抽出、再生することができる。【選択図】        図４
2007028226.tif 000002
【特許請求の範囲】
【請求項１】
映像あるいは音声の放送番組、及び前記放送番組を構成するイベントに対応する管理情報を受信する受信部と、
前記放送番組と前記管理情報を記憶する記憶部と、
前記記憶部に記憶された前記管理情報に基づいて前記記憶部内の前記イベントの開始位置と終了位置を決定する決定部と、
前記イベントの前記開始位置と前記終了位置に基づいて前記放送番組中の前記放送番組中の前記イベントから所定のイベントを抽出してプレイリストを作成するリスト作成部と、
前記プレイリストに基づいて抽出された前記所定のイベントを再生する再生部を備えたことを特徴とする放送番組再生装置。
【請求項２】
前記受信部は、前記イベントとして音楽を含む前記放送番組、及び前記音楽の曲名、アーティスト名、及び放送時間の少なくとも１つの情報を含む前記管理情報を受信することを特徴とする請求項１記載の放送番組再生装置。
【請求項３】
前記再生部は、複数の前記放送番組と複数の前記管理情報に基づいて前記アーティスト名から選択した所定のアーティスト名の前記音楽を抽出して再生することを特徴とする請求項２記載の放送音楽再生装置。
【請求項４】
前記記憶部は、前記放送番組を記憶する第１のファイルと、前記管理情報を記憶する第２のファイルを含むことを特徴とする請求項１記載の放送番組再生装置。
【請求項５】
前記決定部は、前記イベントの開始位置を前後に所定の位置だけを変位することを特徴とする請求項１記載の放送音楽再生装置。
【発明の詳細な説明】
【技術分野】
【０００１】
この発明は放送番組再生装置に関し、特に、受信、録音した音楽番組内の楽曲毎のデータを管理する子との可能なＳバンド衛星デジタル法送放送番組再生装置に関する。
【背景技術】
【０００２】
携帯容易なテレビ／ラジオ放送番組再生装置と、このような携帯用放送番組再生装置を対象とした放送システムが開発され、専用の番組放送も開始されている。このような放送番組再生装置は携帯容易とするため、当然に小型化が図られてはいるが、技術力の進歩に伴い、画像や音声も高品質なものの再生が可能となる。
【０００３】
また、これらの携帯用放送番組再生装置には、録画・録音機能も搭載され、放送された番組をリアルタイムで視聴できないときでも、録画や録音をしておくことにより、後日視聴することが可能となる。特に当該システムにおける放送データは、圧縮率の高いデータ圧縮方式を用いているため、データ容量が小さく、大容量の記憶媒体を用いなくとも多くの番組を記録することができる。
【０００４】
多くの番組を記録すると、記録された番組の中から所望する番組の１つを効率よく選択するためのシステムが必要となる。これは、複数の音楽データを記録した記憶媒体から、所望する楽曲を選択する場合と同様であるが、この場合、音楽ＣＤよりＨＤＤ等の記憶媒体にデータを複製する際に、複製する楽曲のプレイリストを作成することにより、当該記憶媒体中の楽曲のデータベースを作成する方法も発明されている（例えば、特許文献１参照）。
【０００５】
番組の録画や録音に関しても、今日では電子番組表（ＥＰＧ）を利用することにより、番組内容に関す簡単なコメントがデータとして記録され得るので、再生したい番組の検索が容易となっている。
【特許文献１】特開２００５−８５３０３号公報
【発明の開示】
【発明が解決しようとする課題】
【０００６】
しかしながら、衛星放送による音楽番組を録音した場合、音楽番組全体で１つの音声データファイルを構成する。そのため、ある音楽番組の中に含まれる楽曲を選択しようとしても、その楽曲を含む番組全体が選択されることになり、その楽曲のみを再生するためには、早送りや巻戻しの機能を使用しなければならなかった。
【０００７】
或いは、番組全体としての情報は存在しても、番組内の個別の楽曲に関する情報までは取得できず、実際に再生しない限り含まれる楽曲が何であるか不明であった。
【０００８】
従って、本発明の目的は、録音した音楽番組中の楽曲に関するデータを蓄積し、所望する楽曲のみを再生することの可能な放送番組再生装置を提供することにある。
【課題を解決するための手段】
【０００９】
本発明は、上記目的を達成するため、映像あるいは音声の放送番組、及び前記放送番組を構成するイベントに対応する管理情報を受信する受信部と、前記放送番組と前記管理情報を記憶する記憶部と、前記記憶部に記憶された前記管理情報に基づいて前記記憶部内の前記イベントの開始位置と終了位置を決定する決定部と、前記イベントの前記開始位置と前記終了位置に基づいて前記放送番組中の前記放送番組中の前記イベントから所定のイベントを抽出してプレイリストを作成するリスト作成部と、前記プレイリストに基づいて抽出された前記所定のイベントを再生する再生部を備えたことを特徴とする放送番組再生装置を提供する。
【００１０】
上記受信部は、前記イベントとして音楽を含む前記放送番組、及び前記音楽の曲名、アーティスト名、及び放送時間の少なくとも１つの情報を含む前記管理情報を受信するものであってもよい。
【００１１】
上記再生部は、複数の前記放送番組と複数の前記管理情報に基づいて前記アーティスト名から選択した所定のアーティスト名の前記音楽を抽出して再生するものであってもよい。
【００１２】
上記記憶部は、前記放送番組を記憶する第１のファイルと、前記管理情報を記憶する第２のファイルを含むものであってもよい。
【００１３】
上記決定部は、前記イベントの開始位置を前後に所定の位置だけを変位するものであってもよい。
【発明の効果】
【００１４】
本発明によれば、複数の楽曲を含んだ放送番組を録音したデータから、所望の楽曲だけを選択して再生することができる。
【発明を実施するための最良の形態】
【００１５】
以下、図面を参照しながら本発明の実施の形態について説明する。
【００１６】
（システムの構成）
図１は、本発明の実施の形態に係る受信システムの概略構成を示す。この受信システムは、地上に設置され、テレビ番組放送やラジオ番組放送などの複数のデジタル放送を送信可能な放送基地局２と、放送基地局２からの放送電波を宇宙空間に位置する放送衛星３を介して受信する放送番組再生装置１とから概略構成されている。
【００１７】
なお、図１は衛星放送を受信する場合の例を示したものであるが、本発明に係る放送番組再生装置１は、これに限らず、地上波放送を受信するもの、ケーブル等の伝送媒体を介して受信するもの、双方向で受信するものなどであってもよい。
【００１８】
放送番組再生装置１は、複数の放送の中から好みの番組を選択し、視聴することができるものであり、アンテナや電子回路等を内蔵した本体部４と、本体部４の上部にヒンジ部１ａによって開閉自在に設けられたラップトップ部５とを有する。
【００１９】
本体部４は、上面に各種のスイッチを備えた操作部６が設けられ、前面に、スピーカ７、ヘッドホン端子８、および後述するメモリーカードが挿入されるスロット９が設けられている。なお、スピーカ７およびヘッドホン端子８は、音声出力部を構成する。
【００２０】
ラップトップ部５は、液晶ディスプレイ，有機ＥＬディスプレイ等の表示部１９を備える。
【００２１】
ユーザがテレビ番組の視聴を望む場合には、表示部１９に番組画像が表示され、音声出力部から番組音声が発生する。また、ユーザがラジオ番組の聴取を望む場合には、音声出力部から番組音声が発生すると同時に、表示部１９には、放送中の番組や楽曲の内容に関する情報等が表示される。テレビ番組かラジオ番組かの選択は操作部６の操作によって行われる。
【００２２】
（放送番組再生装置１の内部構成）
図２は、本発明に係る放送番組再生装置１の内部構成を示すブロック図である。
【００２３】
放送番組再生装置１は、アンテナ１１と、チューナ１２と、トランスポートストリーム（ＴＳ）データ分離部１３と、ＣＰＵ１４と、メモリーカードコントローラ１５と、内部記憶部１６と、デジタル・シグナル・プロセッサ（ＤＳＰ）１７と、グラフィックコントローラ１８と、表示部１９と、Ｄ／Ａコンバータ２０と、音声出力部２１とからなる。
【００２４】
アンテナ１１は、放送基地局２より出力され放送衛星３を介して送信される衛星放送番組に関する放送電波を受信するものであり、受信した放送電波を電気信号に変換してチューナ１２に送信する。
【００２５】
チューナ１２は、アンテナ１１より送信された衛星放送データより、必要とするデータを選択し、ＴＳデータ分離部１３へと送信する。
【００２６】
ＴＳデータ分離部１３は、チューナ１２より受信したデジタル放送信号について、番組映像や番組音声に関する映像／音楽データと、ＥＰＧデータや管理データ等の管理情報データとに分離し、管理情報データをＣＰＵ１４に、映像／音声データをＤＳＰ１７に、それぞれ送信する。
【００２７】
ＣＰＵ１４は、放送番組再生装置１における各機能の制御を司るものであり、各構成部に対して信号を送信し、各種動作を実行させる。また、受信した番組データの内部記憶部１６等への格納や読込等におけるデータの移動の制御を行う。
【００２８】
メモリーカードコントローラ１５は、外部記憶装置２２となるメモリーカード等を制御し、録画／録音した番組データの読み書きを行う。
【００２９】
内部記憶部１６は、放送番組再生装置１を駆動させるためにＣＰＵ１４に実行させるプログラムの格納や、当該プログラムに用いられる各種パラメータ、管理情報データ等の一時的な格納、録画／録音した番組データの格納のために用いられるものであり、具体的には、ＲＯＭ、ＲＡＭ、ＨＤＤなどが該当する。
【００３０】
ＤＳＰ１７は、ＴＳデータ分離部１３より受信した映像／音声データの演算処理を行う。そして、映像データをグラフィックコントローラ１８に、音声データをＤ／Ａコンバータに、それぞれ送信する。
【００３１】
グラフィックコントローラ１８は、ＤＳＰ１７より受信した映像データを、表示部１９で表示可能となるように処理をする。そして処理されたデータを表示部１９へ送信する。
【００３２】
表示部１９は、グラフィックコントローラ１８より受信した映像データをモニタ上に表示する。表示される画像は、衛星放送によるテレビ番組の画像や、音声番組に関する文字情報、表示装置１の機器設定に関する情報等である。
【００３３】
Ｄ／Ａコンバータ２０は、ＤＳＰ１７より受信した音声データを、デジタルデータからアナログデータに変換する。変換されたアナログ音声データは、音声出力部２１へ送信する。
【００３４】
音声出力部２１は、Ｄ／Ａコンバータ２０より受信したアナログ音声データを音声に変換し、出力をものであり、アンプ、スピーカ７、ヘッドホン端子８等を備える。
【００３５】
図３は、操作部６の詳細を示す。操作部６は、表面の上下左右に三角マーク６１ａ〜６１ｄを有するドーナツ状のカーソルボタン６０と、そのカーソルボタン６０の内側に配置された円形の決定ボタン６２と、細長形状のバックボタン６３、番組リストボタン６４、およびその他のボタン６５ａ〜６５ｄとを備える。カーソルボタン６０、決定ボタン６２、バックボタン６３および番組リストボタン６４については後述する。６５ａは、録音データの再生を停止するストップボタン、６５ｂは、データ情報サービスを表示させるボタン、６５ｃは、メモリーカードに記録されているメモのリストを表示させるボタン、６５ｄは、クイックメニューと設定メニューを表示させるクイック／設定ボタンである。
【００３６】
(放送番組再生装置の動作)
本発明に係る放送番組再生装置１の動作について、図４〜図７を参照しつつ説明する。
【００３７】
本発明に係る放送番組再生装置１は、ラジオ放送録音時に、放送内容に関する管理情報を同時に記録し、当該管理情報内に含まれる番組内で放送された各楽曲に関するデータを検索することで、ユーザの所望する楽曲のみを検索、抽出することができることを特徴とする。
【００３８】
図４は、放送番組再生装置１において録音した放送番組の音声ファイルに含まれる放送内容と、当該放送番組の管理情報の対応を示す図である。
【００３９】
音声ファイル１００に含まれるラジオ番組は、オープニング１０２、トーク１（１０３）、ミュージック（１０４）、トーク２（１０５）、ミュージック２（１０６）、トーク３（１０７）、ミュージック３（１０８）、エンディング１０９の各コーナより構成されている。
【００４０】
音声ファイル１００は、１つのデータファイルであり、上記各コーナはデータ上１つであって分割されたものではない。したがって、音声ファイル１００のみでは各コーナの開始位置が不明なため、その位置を的確に把握して再生することはできない。
【００４１】
管理情報データ２００には、ラジオ番組全体に関する情報であるヘッダ情報２０１と、各コーナに対応する、オープニング情報２０２、トーク１情報２０３、ミュージック１情報２０４、エンディング情報２０９等が含まれている。
【００４２】
ヘッダ情報２０１には、そのラジオ番組全体の放送時間、放送局名、番組タイトル等の情報が含まれている。また、トーク１情報２０３等のトーク・コーナについての管理情報にはパーソナリティ名等の情報が、ミュージック１情報２０４等の楽曲コーナについての管理情報には曲名、アーティスト名、収録アルバム名、楽曲ジャンル等の情報が含まれる。更に、各コーナの情報には、それぞれ番組中のどの時間帯に放送されたかを示す時刻情報も含まれる。
【００４３】
各コーナの管理情報は、上記時刻情報を含むことにより、音声ファイル１００中の各コーナと対応付けられる。具体的には、音声ファイル１００のオープニング１０２の部分とオープニング情報２０２とが、トーク１（１０３）の部分とトーク１情報２０３とが、ミュージック１（１０４）の部分とミュージック１情報２０４とが、エンディング１０９の部分とエンディング情報２０９とが、それぞれ対応付けられる。そのため、管理情報を基にいずれかのコーナを選択することで、１つのデータである音声ファイル１００中の一部である当該コーナの音声を選択し、その位置のみの再生をすることが可能となる。
【００４４】
例えば、１つのコーナであるミュージック１（１０４）のコーナにおいて、曲名「ＡＢＣＤＥ」が放送されていたとする。ユーザがリストを参照して、この曲のみを再生しようとした場合、これに対応するミュージック情報２０４には、その開始位置及び終了位置が含まれているので、音声ファイル１００の内の当該開始位置及び終了位置で特定される部分のみを再生することが可能となる。
【００４５】
なお、音声ファイル１００と、管理情報データ２００は、それぞれ別個のファイルとして記憶されるよう構成しても、１つのファイルにまとめて記憶するよう構成してもよい。
【００４６】
図５は、放送番組再生装置１で録音した音楽番組を再生する際の表示部１９における表示例を示したものである。図５（ａ）は録音された番組のリストの表示例であり、（ｂ）は選択した番組に含まれる曲名リストの表示例である。
【００４７】
ユーザが、録音済みの番組を再生する際、まず、モニタ１９１上には録音済みの全番組のリストが表示される。内部記憶部１６または外部記憶部２２に格納された各音声ファイルに対応する管理情報データのヘッダ情報から番組タイトルが抽出され、表示される。
【００４８】
例えば、内部記憶部１６に記録済みの番組として、番組Ａデータ４０１、番組Ｂデータ４０２、番組Ｃデータ４０３、番組Ｄデータ４０４の４番組が格納されていたとすると、モニタ１９１上には、図４（ａ）に示すように上記４番組に関する情報がリストとして表示される。
【００４９】
リスト中の各番組データには、各番組に割り振られる整理番号４１１、その番組を放送したチャンネル番号４１２、放送日時４１３、番組名４１４等が表示される。ユーザはこの番組データを参照し、所望の番組の番組データにカーソル４１５を合わせることで、その番組が選択される。
【００５０】
ユーザがモニタ１９１上に表示されたリストの中から１番組（例えば番組Ｂ４０２）を選択したとすると、図４（ｂ）に示すような番組Ｂの音声リストに含まれる曲目リストが表示される。
【００５１】
モニタ１９１の上部には、番組Ｂデータ４０２が表示され、ユーザの選択した番組が番組Ｂであることを示す。また、その下方には曲目リスト４１０が表示される。曲目リスト４１０の各データには、曲順番号４１６、曲名４１７が表示される。尚、曲名の代わりにアーティスト名を表示させることや、その双方を表示させることも可能である。
【００５２】
ただし、番組を構成するコーナは全て音楽からなるとは限らず、図４に示したような番組構成においては、パーソナリティによるトークや、オープニング、エンディング等も含まれる。したがって、この場合には曲名は表示されない。図５（ｂ）に示すように音楽以外のコーナであることを示す表示を行うか、あるいはブランクとなる。
【００５３】
ユーザは、モニタ１９１上に表示された曲目リスト４１０より、所望の曲名にカーソル４１５を合わせることにより、その曲が選択され、その曲の再生が開始される。
【００５４】
以上のような構成により、放送番組を録音した１つのファイル中に複数の楽曲が含まれていても、含まれている楽曲を知ることができ、また、早送りや巻戻し操作を要することなく、所望の楽曲のみを再生することができる。
【００５５】
（音楽の検索）
本発明に係る放送音楽再生装置は、録音して記憶する複数の番組の中で放送された全音楽の中から、ユーザの所望する音楽のみを検索して抽出し、再生することができる。
【００５６】
図６は、複数の放送番組データの中から所望の音楽のみを抽出する様子を示す図である。
【００５７】
例えば、外部記憶装置２２であるメモリーカード中に、ファイル１音声データ１１０とこれに対応するファイル１管理情報２１０、ファイル２音声データ１２０とこれに対応するファイル１管理情報２２０が格納されていたとする。
【００５８】
ファイル１音声データ１１０には、番組１（１１１）と番組２（１１５）の２つの番組が含まれている。番組１（１１１）では、ミュージック１−１（１１２）、ミュージック１−２（１１３）、ミュージック１−３（１１４）の３曲が放送されている。また、番組２（１１５）では、ミュージック２−１（１１６）、ミュージック２−２（１１７）、ミュージック２−３（１１８）の３曲が放送されている。
【００５９】
これに対応するファイル１管理情報２１０には、番組１のヘッダ情報２１１、ミュージック１−１に関する情報２１２、ミュージック１−２に関する情報２１３、ミュージック１−３に関する情報２１４、番組２のヘッダ情報２１５、ミュージック２−１に関する情報２１６、ミュージック２−２に関する情報２１７、ミュージック２−３に関する情報２１８が含まれる。
【００６０】
また、ファイル２音声データ１２０には、番組３（１２１）が含まれている。番組３（１２１）では、ミュージック３−１（１２２）、ミュージック３−２（１２３）、ミュージック３−３（１２４）の３曲が放送されている。これに対応するファイル２管理情報２２０には、番組３のヘッダ情報２２１、ミュージック３−１に関する情報２２２、ミュージック３−２に関する情報２２３、ミュージック３−３に関する情報２２４が含まれる。
【００６１】
ユーザが、外部記憶装置２２に格納された全音楽番組から、アーティスト「Ｂ」の曲を検索すると、図６においては、番組１のミュージック１−２（１１３）、番組２のミュージック２−３（１１８）、番組３のミュージック３−１（１２２）であることが対応するファイル管理情報より判るので、これらの曲が抽出され、プレイリスト３００が作成される。
【００６２】
プレイリスト３００には、番組１のミュージック１−２（１１３）に対応する詳細情報３０１、番組２のミュージック２−３（１１８）に対応する詳細情報３０２番組３のミュージック３−１（１２２）に対応する詳細情報３０３が含まれることになるが、これら詳細情報は、各曲に対応する管理情報とその曲を含む番組のヘッダ情報とから、必要な情報が選択されている。例えば、各曲の管理情報には、開始時間、曲名、アーティスト名が含まれており、ヘッダ情報には、その番組で紹介する音楽のジャンル名が含まれていたとする。プレイリスト３００上の各曲の詳細情報として、管理情報より開始時間、曲名、アーティスト名を、ヘッダ情報よりジャンル名を選択することでプレイリスト用の詳細情報が構成される。
【００６３】
図７は、音楽検索時における画像の表示例である。図７（ａ）は検索画面、（ｂ）は検索後のプレイリストの表示例である。
【００６４】
ユーザが音楽検索の操作を開始すると、図７（ａ）に示すように、モニタ１９１には、検索内容を入力する検索画面５００が表示される。画面上には、アーティスト名入力セル５０１、曲名入力セル５０２、ジャンル名入力セル５０３が表示されており、ユーザは、これらのセルに検索条件を入力する。ユーザは３つのセルのうち少なくとも１つに条件を入力し、「はい」ボタン５０４を選択すると、その条件での検索が開始される。入力内容を誤り再入力する際には「いいえ」ボタン５０５を選択する。
【００６５】
入力方法としては、例えばモニタ１９１上に文字入力パッド等を表示させ、１文字ずつユーザに選択させて入力する方法や、キーボード等の外部入力装置を接続して入力させることもできる。また、予め記憶された全楽曲のリストより各項目の内容を表示させ、その中からユーザに選択させることも可能である。
【００６６】
ユーザがアーテイスト名として「Ｂ」を選択し、検索を開始すると、その検索結果がプレイリストとして図７（ｂ）に示すように表示される。
【００６７】
図７（ｂ）において、モニタ１９１上には、プレイリスト５１０が表示される。プレイリスト５１０には抽出された曲に関する曲情報５１１ａ、ｂ、ｃ、ｄが表示される。各局情報には、整理番号４１１、チャンネル番号４１２、放送日時４１３、曲名４１７等が表示される。
【００６８】
ユーザは、モニタ１９１上に表示されたプレイリスト５１０より、所望の曲情報にカーソル４１５を合わせることにより、その曲が選択され、その曲の再生が開始される。
【００６９】
以上のように構成することにより、録音された複数の音楽番組の中から好みの音楽を検索し、その曲のみを再生させることができる。
【００７０】
（開始時間の誤差修正）
上述のように、管理情報には番組の開始時間や終了時間、各コーナの開始時間や終了時間に関するデータが含まれる。しかし、放送局側の仕様として、これらの時間データと、実際の放送時間との間に数秒の誤差が認められる。そのため、その誤差を修正しないでいると、全ての曲の先頭が切れてしまうことや、全ての局の終わりが途切れてしまうことが起きる。
【００７１】
本発明に係る放送番組再生装置１は、このような場合の誤差を調整して、データ上の開始時間と実際の開始時間を合わせ、曲が途中で途切れてしまうことが防止できる。
【００７２】
図８は、管理データ上の時間と実際の放送時間との間の誤差を調整する様子を示す図である。
【００７３】
図８（ａ）は、音声ファイル１００に録音された番組の管理データ上の各コーナの開始時間を示す図である。この番組では、１２時００分００秒よりオープニング１０２が開始され、以下、１２時０２分００秒にトーク１（１０３）が、１２時５３分００秒にミュージック１（１０４）が、１２時５７分４０秒にトーク２（１０５）がそれぞれ開始されていることになっている。
【００７４】
一方、図８（ｂ）は、その番組の実際の開始時間等を示す図である。この番組は、管理データ上の情報よりも全体として５秒送れて放送されていたとする。つまり、１２時００分０５秒よりオープニング１０２が開始され、以下、１２時０２分０５秒にトーク１（１０３）が、１２時５３分０５秒にミュージック１（１０４）が、１２時５７分４５秒にトーク２（１０５）がそれぞれ開始されていた。
【００７５】
そのため、管理データを基に所望のコーナの音声を再生しようとすると、頭の５秒に余分な音声が再生され、最後の５秒が欠けてしまう。
【００７６】
そこで、ユーザの操作により、管理データ上の時刻を全体に５秒遅らすよう調整を行うことで、図８（ｃ）に示すように管理データ上の各開始時刻が５秒遅れ、ぴったりの時間による再生が可能となる。
【００７７】
時間調整におけるユーザによる調整は、モニタ１９１の表示に従い、操作部６を用いて行う。
【００７８】
図９は、開始時間調整時における画像の表示例である。ユーザが開始時間調整の操作を開始すると、図９に示すように、モニタ１９１には、検索内容を入力する開始時間調整画面５２０が表示される。画面上には、調整幅入力セル５２１が表示されており、ユーザは、これらのセルに調整幅を入力する。ユーザは調整幅を入力し、「はい」ボタン５０４を選択すると、その条件での開始時間の調整がなされる。調整を中止する際には「いいえ」ボタン５０５を選択する。
【００７９】
以上のように構成することにより、放送局側の仕様により実際の放送時刻と管理データ上の時刻との間に誤差が生じても、その誤差を調整することで、各楽曲の先頭部からの再生が可能となる。
【図面の簡単な説明】
【００８０】
【図１】本発明の実施の形態に係る受信システムの概略構成を示す図である。
【図２】本発明の実施の形態に係る放送番組再生装置の内部構成を示すブロック図である。
【図３】操作部の詳細を示す平面図である。
【図４】放送番組再生装置１において録音した放送番組の音声ファイルに含まれる放送内容と、当該放送番組の管理情報の対応を示す図である。
【図５】（ａ）は放送番組再生装置１で録音された番組のリストの表示例であり、（ｂ）は選択した番組に含まれる曲名リストの表示例である。
【図６】複数の放送番組データの中から所望の音楽を抽出する様子を示す図である。
【図７】音楽検索時における画像の表示例であり、（ａ）は検索画面、（ｂ）は検索後のプレイリストの表示例である。
【図８】管理データ上の時間と実際の放送時間との間の誤差を調整する様子を示す図である。
【図９】開始時間調整時における画像の表示例である。
【符号の説明】
【００８１】
１  受信装置  １ａ、ヒンジ部  ２、放送基地局  ３、放送衛星  ４、本体部
５、ラップトップ部  ６、操作部  ７、スピーカ  ８、ヘッドホン端子  ９、スロット
１１、アンテナ  １２、チューナ  １３、ＴＳデータ分離部  
１５、メモリーカードコントローラ  １６、内部記憶部
１８、グラフィックコントローラ  １９、表示部  ２０、コンバータ
２１、音声出力部  ２２、外部記憶装置  ６０、カーソルボタン
６１ａ〜６１ｄ、三角マーク  ６２、決定ボタン  ６３、バックボタン
６４、番組リストボタン  ６５ａ〜６５ｄ、その他のボタン  １００、音声ファイル
１０２、オープニング  １０３、トーク１  １０４、ミュージック１  １０５、トーク２
１０６、ミュージック２  １０７、トーク３  １０８、ミュージック３
１０９、エンディング  １１０、ファイル１音声データ  １１１、番組１
１１２、ミュージック１−１  １１３、ミュージック１−２
１１４、ミュージック１−３  １１５、番組２  １１６、ミュージック２−１
１１７、ミュージック２−２  １１８、ミュージック２−３
１２０、ファイル２音声データ  １２１、番組３  １２２、ミュージック３−１
１２３、ミュージック３−２  １２４、ミュージック３−３  １９１、カーソル
２００、管理情報データ  ２０１、ヘッダ情報  ２０２、オープニング情報
２０３、トーク１情報  ２０４、ミュージック１情報  ２０９、エンディング情報
２１０、ファイル１管理情報  ２１１、番組１のヘッダ情報
２１２、ミュージック１−１に関する情報  ２１３、ミュージック１−２に関する情報
２１４、ミュージック１−３に関する情報  ２１５、番組２のヘッダ情報
２１６、ミュージック２−１に関する情報  ２１７、ミュージック２−２に関する情報
２１８、ミュージック２−３に関する情報  ２２０、ファイル２管理情報
２２１、番組３のヘッダ情報  ２２２、ミュージック３−１に関する情報
２２３、ミュージック３−２に関する情報  ２２４、ミュージック３−３に関する情報
３００、プレイリスト  ３０１、ミュージック１−２の詳細情報
３０２、ミュージック２−３の詳細情報  ３０３、ミュージック３−１の詳細情報
４０１、番組Ａデータ  ４０２、番組Ｂデータ  ４０３、番組Ｃデータ
４０４、番組Ｄデータ  ４１０、曲目リスト  ４１１、整理番号  
４１２、チャンネル番号  ４１３、放送日時  ４１４、番組名  ４１５、カーソル
４１６、曲順番号  ４１７、曲名  ５００、検索画面  ５０１、アーティスト名入力セル
５０２、曲名入力セル  ５０３、ジャンル名入力セル  ５０４、「はい」ボタン
５０５、「いいえ」ボタン  ５１０、プレイリスト  ５１１ａ〜ｄ、曲情報
５２０、開始時間調整画面  ５２１、調整幅セル
【図１】
2007028226.tif 000003
【図２】
2007028226.tif 000004
【図３】
2007028226.tif 000005
【図４】
2007028226.tif 000006
【図５】
2007028226.tif 000007
【図６】
2007028226.tif 000008
【図７】
2007028226.tif 000009
【図８】
2007028226.tif 000010
【図９】
2007028226.tif 000011